(57)【要約】【課題】インターネットに接続可能なボタン電話装置のＩＰアドレスが変化したときに変化後のＩＰアドレスを外部から把握可能にする。【解決手段】ボタン電話装置（主装置）の電源をオンにすると、ボタン電話装置のＩＰ網接続部が動作を開始し（ステップＳ１）、ＩＳＰ（インターネット・サービス・プロバイダ）のサーバに接続する（ステップＳ２）。サーバはＩＰ網接続部のＩＰアドレスを決定し（ステップＳ３）、ＩＰ網接続部へ通知する（ステップＳ４）。ＩＰ網接続部のＩＰアドレスをＩＰ網上のＰＣ（パーソナル・コンピュータ）に電子メールで通知する（ステップＳ６）。【選択図】  図２
2006279760.tif 000002
【特許請求の範囲】
【請求項１】
インターネットに接続可能なボタン電話装置において、
インターネットに接続するためのＩＰアドレスを取得するＩＰアドレス取得手段と、該取得したＩＰアドレスが変更されているとき該ＩＰアドレスを所定の連絡先へ通知するＩＰアドレス通知手段とを備えたことを特徴とするボタン電話装置。
【請求項２】
請求項１記載のボタン電話装置において、
前記ＩＰアドレス通知手段は電子メールにより通知することを特徴する請求項１記載のボタン電話装置。
【発明の詳細な説明】
【技術分野】
【０００１】
本発明は、インターネットに接続可能なボタン電話装置に関し、詳細にはそのＩＰアドレスを外部から把握可能にしたボタン電話装置に関する。
【背景技術】
【０００２】
インターネットを利用した遠隔監視システムでは、監視対象領域に設置したネットワークカメラで生成した画像データをインターネット上に配信可能であり、その配信された画像データの受信者は、パーソナルコンピュータ（以下、パソコンという）をインターネットに接続し、ブラウザソフトウェア（以下、ブラウザという）によりネットワークカメラのＩＰアドレスを指定することで、自宅等から監視対象領域の遠隔監視が可能である（特許文献１参照）。
【特許文献１】特開２００３−６１０８３公報
【発明の開示】
【発明が解決しようとする課題】
【０００３】
しかしながら、特許文献１に開示された遠隔監視システムでは、ネットワークカメラのＩＰアドレスを指定することで、ネットワークカメラに直接アクセスする構成になっているが、近年ではルータ等の接続装置を介してネットワークカメラにアクセスする構成を採用している。ところが、接続装置のＩＰアドレスが固定でない場合は、ＩＳＰ（インターネット・サービス・プロバイダ）に接続したときや、接続中にＩＰアドレスが再度割り当てられることから、ＩＰアドレスが変化してしまう。この変化後のＩＰアドレスは外部から把握できないため、外部からネットワークカメラにアクセスできなくってしまう。
【０００４】
本発明はこのような問題点に鑑みてなされたもので、その目的は、インターネットに接続可能な接続装置のＩＰアドレスが変化したときに変化後のＩＰアドレスを外部から把握可能にすることである。
【課題を解決するための手段】
【０００５】
請求項１に係る発明は、インターネットに接続可能なボタン電話装置において、インターネットに接続するためのＩＰアドレスを取得するＩＰアドレス取得手段と、該取得したＩＰアドレスが変更されているとき該ＩＰアドレスを所定の連絡先へ通知するＩＰアドレス通知手段とを備えたことを特徴とするボタン電話装置である。
請求項２に係る発明は、請求項１記載のボタン電話装置において、前記アドレス通知手段は電子メールにより通知することを特徴する請求項１記載のボタン電話装置である。
【０００６】
（作用）
請求項１に係る発明によれば、インターネットに接続するためのＩＰアドレスを取得し、それが変更されているとき、取得したＩＰアドレスを所定の連絡先へ通知する。
請求項２に係る発明によれば、インターネットに接続する度にＩＰアドレスを取得する機器をインターネットに接続したときにＩＰアドレスを取得し、取得したＩＰアドレスを外部の所定の連絡先へ電子メールで通知する。
【発明の効果】
【０００７】
本発明によれば、インターネットに接続可能なボタン電話装置のＩＰアドレスが変化したときに変化後のＩＰアドレスを外部から把握できる。
【発明を実施するための最良の形態】
【０００８】
以下、図面を参照しながら本発明の実施形態について説明する。
図１は本発明の実施形態に係るボタン電話装置を備えた遠隔監視システムの全体構成を示す図である。
【０００９】
この遠隔監視システムはボタン電話装置を利用して構成されており、ボタン電話装置の主装置１には、内線伝送路６によりＮ台（Ｎ≧２）のボタン電話機2-1〜2-Nが接続され、ＬＡＮ７によりパソコン３、ネットワークカメラ４及びサーバ５が接続されている。また、主装置１は電話網８に接続されており、電話網８を介してボタン電話機2-1〜2-Nと固定又は携帯の電話機12と通話が可能である。さらに、主装置１はＩＰ網（インターネット）９に接続可能であり、ＩＰ網９上のパソコン13等のデータ処理機器とパソコン３、ネットワークカメラ４及びサーバ５とのデータ通信が可能である。また、パソコン３、ネットワークカメラ４、及びサーバ５は、ＬＡＮ７を介してデータの送受が可能である。
【００１０】
ボタン電話機2-1〜2-Nは例えばオフィスの机の上に配置されており、パソコン３はボタン電話機2-1〜2-Nのどれかの近くに配置されている。ネットワークカメラ４は、オフィス内を撮影可能な位置に設置されており、パン及びチルトさせて撮影範囲を変化させることにより、オフィス内を撮影することができる。サーバ５はオフィスの適当な場所に配置されている。
【００１１】
主装置１は、この主装置全体の制御等を行う制御部21と、電話網８と接続するための電話網接続部22と、内線伝送路６を介してボタン電話機2-1〜2-Nを収容するボタン電話機接続部23と、ＩＰ網９とＬＡＮ７とを接続するためのルータ部24と、制御部21における制御に必要な各種制御情報、外線情報、内線情報、パソコン３、ネットワークカメラ４及びサーバ５のＩＰアドレス等を記憶する記憶部25とを備えている。ルータ部24は、ＩＰ網９に接続するためのＩＰ網接続部26と、ＬＡＮ７を収容するＬＡＮ接続部27とからなる。ＩＰ網接続部26のＩＰアドレスは、ＩＰ網９のＩＳＰ11に接続したとき及び接続中にＩＳＰ11のサーバ14によりダイナミックに割り当てられる。
【００１２】
ネットワークカメラ４はパン角度及びチルト角度をそれぞれ複数の異なる値に設定することで、複数の異なる領域を撮影することができる。これらの撮影領域に対応するパン角度及びチルト角度は撮影領域識別情報として予め記憶部（図示せず）にプリセットされており、ＬＡＮ７経由で主装置１からネットワークカメラ４へ制御情報を送ることにより、ネットワークカメラ４の撮影開始タイミング及び撮影領域を遠隔制御することができる。サーバ５は主装置１の制御により、ネットワークカメラ４で撮像された画像データを蓄積する。
【００１３】
以上のように構成された遠隔監視システムにおいて、主装置１の電源をオンにしてから、この遠隔監視システムの利用者の自宅10のパソコン13がネットワークカメラ４にアクセスするまでの手順について、図２のシーケンス図を参照しながら説明する。
【００１４】
ボタン電話装置（主装置１）の電源をオンにすると、ＩＰ網接続部26が動作を開始する（ステップＳ１）。制御部21はＩＰ網接続部26を制御して、ＩＰ網９上のＩＳＰ11のサーバ14に接続する（ステップＳ２）。サーバ14はＩＰ網接続部26が接続されると、ＩＰ網接続部26のＩＰアドレスを決定し（ステップＳ３）、ＩＰ網接続部26へ通知する（ステップＳ４）。このＩＰアドレスは記憶部25及びＩＰ網接続部26内のメモリに格納される（ステップＳ５）。
【００１５】
次に、制御部21は、記憶部25に記憶したＩＰアドレスが前回記憶したＩＰアドレスと異なる場合は、今回記憶したＩＰアドレスをパソコン13に電子メールで通知するためのメッセージを作成し、ＩＰ網接続部26を制御して、ＩＰ網９上のパソコン13に電子メールを送る（ステップＳ６）。パソコン13は、通知されたＩＰアドレスに接続することで、監視対象領域の遠隔監視が可能となる。
【００１６】
このように、本実施形態に係る遠隔監視システムによれば、主装置１のＩＰ網接続部26がＩＰアドレスを取得したときに、それが変更されていた場合は、遠隔監視システムの利用者の自宅のパソコンにその変更後のＩＰアドレスを通知するので、遠隔監視システムの利用者は、主装置１のＩＰ網接続部26のＩＰアドレスが変化しても変化後のＩＰアドレスが把握できるため、ネットワークカメラ4の撮像領域を監視できる。
【図面の簡単な説明】
【００１７】
【図１】本発明の実施形態に係るボタン電話装置を備えた遠隔監視システムの全体構成を示す図である。
【図２】主装置の電源をオンにしてから、遠隔監視システムの利用者の自宅のパソコンがネットワークカメラにアクセスするまでの手順を示すシーケンス図である。
【符号の説明】
【００１８】
１・・・主装置、４・・・ネットワークカメラ、９・・・ＩＰ網、11・・・ＩＳＰ、13・・・パソコン、14・・・サーバ、21・・・制御部、26・・・ＩＰ網接続部。
【図１】
2006279760.tif 000003
【図２】
2006279760.tif 000004